(57)【要約】  【課題】  バフ研磨輪の付いた卓上グラインダーを用いて行う鋏の研磨において、簡単に鋏の刃の角度を一定にすることができ、誰でも簡単に安全にシャープな切れ味を得ることができる比較的低コストの鋏の研磨装置を提供する。【解決手段】横置き電動機２により研磨輪３を縦回転させる研磨装置（卓上グラインダー）１を用い、砥石による研磨輪に代えて弾力性を有するバフ４からなるバフ研磨輪３を取り付け、このバフ研磨輪３の外周に、バフ研磨輪３の回転方向に沿って長く形成され角度αで傾斜するガイド溝１１を有するカバー１０を設け、ガイド溝１１により鋏Ａの片側の刃身Ａ１あるいはＡ２を刃（刃線）ａが下になるようにカバー１０の外側からバフ研磨輪３のバフ外周面３ａ上に挿入して刃ａを押し当てるだけで、刃ａの外側面が一定の角度で研磨され、誰でも簡単に安全に良好な研磨を行えるようにする。【選択図】  図２
2010149272.tif 000002
【特許請求の範囲】
【請求項１】
電動機により回転する研磨輪の外周面に鋏の刃を押し当てて鋏の刃を研磨する鋏の研磨装置であり、
バフからなるバフ研磨輪が横置きの電動機の回転駆動軸に縦回転可能に取り付けられ、
このバフ研磨輪の外周に設けられたカバーに、
鋏の片側の刃身をカバーの外側からバフ研磨輪のバフ外周面上に挿入して鋏の刃をバフ外周面に圧接可能なガイド溝がバフ研磨輪の回転方向に沿って長く形成されている
ことを特徴とする鋏の研磨装置。
【請求項２】
請求項１に記載の研磨装置において、
ガイド溝がバフ外周面の法線に対して角度αで傾斜している
ことを特徴とする鋏の研磨装置。
【請求項３】
請求項１または請求項２のいずれかに記載の研磨装置において、
ガイド溝がバフ研磨輪の回転方向に対して角度βで傾斜している
ことを特徴とする鋏の研磨装置。
【請求項４】
電動機により回転する研磨輪の外周面に鋏の刃を押し当てて鋏の刃を研磨する鋏の研磨装置であり、
バフからなるバフ研磨輪が横置きの電動機の回転駆動軸に縦回転可能に取り付けられ、
このバフ研磨輪の外周に設けられたカバーに、
鋏の片側の刃身をカバーの外側からバフ研磨輪のバフ外周面上に挿入して鋏の刃をバフ外周面に圧接可能なガイド溝がバフ研磨輪の回転方向の垂直方向に沿って長く形成されている
ことを特徴とする鋏の研磨装置。
【請求項５】
請求項４記載の研磨装置において、
ガイド溝がバフ外周面の法線に対して角度γで傾斜している
ことを特徴とする鋏の研磨装置。
【請求項６】
請求項１から請求項５までのいずれか一つに記載の研磨装置において、
ガイド溝が設けられているカバー部分がバフ研磨輪に対して接近・離隔する方向に昇降可能に設けられている
ことを特徴とする鋏の研磨装置。
【請求項７】
請求項１から請求項６までのいずれか一つに記載の研磨装置において、
鋏が理容・美容の鋏である
ことを特徴とする鋏の研磨装置。
【発明の詳細な説明】
【技術分野】
【０００１】
本発明は、鋏の研磨装置に関するものであり、特に理容・美容用の鋏の刃の研磨に最適な研磨装置に関するものである。
【背景技術】
【０００２】
従来から、鋏の刃の研磨には、横置き電動機により研磨輪を縦回転させる研磨装置（卓上グラインダー）を用いると共に、砥石による研磨輪に代えて弾力性を有するバフを巻き付けたバフ研磨輪を取り付け、このバフ研磨輪のバフ外周面に開いた鋏の片側の刃身の刃（刃線）を押し付けて刃を研磨することが行われている。
【０００３】
また、本発明に関連する鋏の研磨装置の先行技術文献として、例えば特許文献１、２がある。
【０００４】
特許文献１の発明は、美容師や理容師が使用する蛤型の鋏を研ぐのに好適な鋏研磨装置及び研磨方法であり、砥粒を塗布あるいは担持させた弾力性を有する研磨部を基板に固定した研磨ホイールを水平配置して回転させ、鋏のみね側から刃先（刃線）側へ向けて研磨部が摺接するように、研磨部に鋏の刃の外側面を圧接させて鋏を研ぐものである。
【０００５】
特許文献２の発明は、鋏の刃を研ぐ装置に取り付けて鋏を保持し、刃の研磨作業を補助するホルダに関するものであり、水平回転する円形の研磨板を備えた研磨機に取り付け、研磨板の上面に接触するように鋏を保持する鋏研磨機用ホルダにおいて、研磨機への取付部から第１リンク・第２リンク・第３リンクを前後に揺動するように回転自在に順次結合し、第３リンクの自由端側に鋏を刃身の刃の研磨角度に応じて幅方向に所定角度傾斜させた状態で固定する固定具を設け、鋏を研磨板に対して前後方向に移動させて研磨し、固定具により刃の研磨角度を一定に維持しつつ羽線の微妙な曲率の変化に対応した研磨を可能とするものである。
【先行技術文献】
【特許文献】
【０００６】
【特許文献１】特開平１１−０２８６４８号公報
【特許文献２】特開２００５−２６２４２２号公報
【発明の概要】
【発明が解決しようとする課題】
【０００７】
従来の縦回転するバフ研磨輪の付いた卓上グラインダーを使用する場合、作業者は縦回転するバフ研磨輪のバフ外周面に対して、開いた鋏の片側の刃身の刃を押し付けて刃を研磨するため、鋏の刃の角度が一定になるように刃を研磨するには、相当の技術を必要とする。
【０００８】
また、特許文献１の発明の場合、バフに圧接させて湾曲状の刃の外側面の全面をバランス良く一様に研磨することが可能であるため、熟練を要することなく誰でも鋏をシャープに研磨することができ、また鋏を閉じたまま研磨することができるため、安全に鋏を研磨することができるなどの利点があるが、特別な研磨装置を必要とし、装置コストが高くなる。
【０００９】
また、特許文献２の発明の場合、固定具により刃の研磨角度を一定に維持しつつ刃線の微妙な曲率の変化に対応した研磨が可能となるものの、複雑なリンク機構等を必要とし、装置コストが高くなる。
【００１０】
本発明は、バフ研磨輪の付いた卓上グラインダーを用いて行う鋏の研磨において、簡単に鋏の刃の角度を一定にすることができ、誰でも簡単に安全にシャープな切れ味を得ることができ、さらに比較的低コストの研磨装置により鋏の刃を研磨することができる鋏の研磨装置を提供することにある。
【課題を解決するための手段】
【００１１】
本発明の請求項１に係る発明は、電動機により回転する研磨輪の外周面に鋏の刃を押し当てて鋏の刃を研磨する鋏の研磨装置であり、バフからなるバフ研磨輪が横置きの電動機の回転駆動軸に縦回転可能に取り付けられ、このバフ研磨輪の外周に設けられたカバーに、鋏の片側の刃身をカバーの外側からバフ研磨輪のバフ外周面上に挿入して鋏の刃をバフ外周面に圧接可能なガイド溝がバフ研磨輪の回転方向に沿って長く形成されていることを特徴とする鋏の研磨装置である。
【００１２】
本発明は、図１〜図３に示すように、横置き電動機により研磨輪を縦回転させる研磨装置（卓上グラインダー）を用い、砥石による研磨輪に代えて弾力性を有するバフからなるバフ研磨輪を取り付け、このバフ研磨輪の外周に、バフ研磨輪の回転方向に沿って長く形成されたガイド溝を有するカバーを設け、ガイド溝により鋏の片側の刃身を刀（刃線）が下になるようにカバーの外側からバフ研磨輪のバフ外周面上に挿入して刃を押し当てるだけで、誰でも簡単に安全に良好な研磨を行えるようにしたものである。本発明で「バフ」とは、弾力性等を有する材料であり、例えば、皮、布、フェルトなど、あるいはその他の材料を使用することができる。
【００１３】
本発明の請求項２に係る発明は、請求項１に記載の研磨装置において、ガイド溝がバフ外周面の法線に対して角度αで傾斜していることを特徴とする鋏の研磨装置である。
【００１４】
即ち、ガイド溝は、図２に示すように、バフ外周面に直交する法線に対して角度αで傾斜させることにより、ガイド溝に挿入した刃身の刃の外側面がバフ外周面の表面に押し付けられると共に、前記外側面が一定の角度で研磨されるようにする。
【００１５】
本発明の請求項３に係る発明は、請求項１または請求項２のいずれかに記載の研磨装置において、ガイド溝がバフ研磨輪の回転方向に対して角度βで傾斜していることを特徴とする鋏の研磨装置である。
【００１６】
即ち、ガイド溝は、図１に示すように、ガイド溝の長手方向であるバフ研磨輪の回転方向に対して角度βで傾斜させることにより、できるだけバフ外周面の幅方向に押付け力を分散させ、刃がバフ外周面に深く喰い込まないようにする。
【００１７】
本発明の請求項４に係る発明は、電動機により回転する研磨輪の外周面に鋏の刃を押し当てて鋏の刃を研磨する鋏の研磨装置であり、バフからなるバフ研磨輪が横置きの電動機の回転駆動軸に縦回転可能に取り付けられ、このバフ研磨輪の外周に設けられたカバーに、  鋏の片側の刃身をカバーの外側からバフ研磨輪のバフ外周面上に挿入して鋏の刃をバフ外周面に圧接可能なガイド溝がバフ研磨輪の回転方向の垂直方向に沿って長く形成されていることを特徴とする鋏の研磨装置である。
【００１８】
本発明は、図４〜図６に示すように、横置き電動機により研磨輪を縦回転させる研磨装置（卓上グラインダー）を用い、砥石による研磨輪に代えて弾力性を有するバフからなるバフ研磨輪を取り付け、このバフ研磨輪の外周に、バフ研磨輪の回転方向と垂直方向に沿って長く形成されたガイド溝を有するカバーを設け、ガイド溝により鋏の片側の刃身を刀（刃線）が下になるようにカバーの外側からバフ研磨輪のバフ外周面上に挿入して刃を押し当てるだけで、誰でも簡単に安全に良好な研磨を行えるようにしたものである。本発明で「バフ」とは、弾力性等を有する材料であり、例えば、皮、布、フェルトなど、あるいはその他の材料を使用することができる。
【００１９】
本発明の請求項５に係る発明は、請求項４記載の研磨装置において、ガイド溝がバフ外周面の法線に対して角度γで傾斜していることを特徴とするものである。
【００２０】
即ち、ガイド溝は、図６に示すように、バフ外周面に直交する法線に対して角度γで傾斜させることにより、ガイド溝に挿入した刃身の刃の外側面がバフ外周面の表面に押し付けられると共に、前記外側面が一定の角度で研磨されるようにする。
【００２１】
本発明の請求項６に係る発明は、請求項１から請求項５までのいずれか一つに記載の研磨装置において、ガイド溝が設けられているカバー部分がバフ研磨輪に対して接近・離隔する方向に昇降可能に設けられていることを特徴とする鋏の研磨装置である。
【００２２】
即ち、カバーは、図２、図３に示すように、上下に２分割し、下部のカバーに対して上部のカバーが昇降できるようにし、バフ外周面が摩耗してバフ外周面の外径が減少したとき、上部のカバーを下降させて、ガイド溝の下端とバフ外周面間隔が一定になるようにする。
【００２３】
本発明の請求項７に係る発明は、請求項１から請求項６までのいずれか一つに記載の研磨装置において、鋏が理容・美容の鋏であることを特徴とする鋏の研磨装置である。
【００２４】
刃の外側面を一定の角度で研磨できるため、シャープな切れ味を必要とする理容・美容の鋏に最適である。また、バフによる研磨であるため、必要以上に刃が研磨されることがなく、理容・美容用の高価な鋏の寿命を長くすることができる。
【発明の効果】
【００２５】
本発明は、以上のような構成からなるので、次のような効果が得られる。
【００２６】
(1)  鋏を分解することなく片側の刃身を刃が下になるようにカバーの上方からガイド溝内に挿入し、バフ研磨輪のバフ外周面上に刃を押し当て刃を研磨するようにしたため、ガイド溝に挿入して押し当てるだけで研磨を行うことができ、誰でも簡単に安全にシャープな切れ味を得ることができる。
【００２７】
(2)  ガイド溝をバフ外周面の法線に対して角度αで傾斜させることにより、ガイド溝に挿入した刃身の刃の外側面がバフ外周面の表面に押し付けられ、刃の外側面を一定の角度で研磨することができる。
【００２８】
(3)  ガイド溝をバフ研磨輪の回転方向に対して角度βで傾斜させることにより、バフ外周面の幅方向に押付け力を分散させ、刃がバフ外周面に深く喰い込まないようにすることができ、良好な研磨状態を得ることができると共に、安全に研磨作業を行うことができる。
【００２９】
(4)  バフによる研磨であるため、必要以上に刃が研磨させることがなく、理容・美容用の高価な鋏の寿命を長くすることができる。
【００３０】
(5)  縦回転するバフ研磨輪の付いた卓上グラインダーにガイド溝付きのカバーを設けるだけでよいため、比較的低コストの研磨装置により鋏の研磨を行える。
【００３１】
(6)  カバーを上下に２分割し、下部のカバーに対して上部のカバーが昇降できるようにすることにより、バフ外周面が摩耗してバフ外周面の外径が減少したとき、上部のカバーを下降させて、ガイド溝の下端とバフ外周面との間隔が一定になるようにすることができ、常に良好な研磨状態を得ることができる。
【図面の簡単な説明】
【００３２】
【図１】本発明の鋏の研磨装置の一実施形態を示す平面図である。
【図２】本発明の鋏の研磨装置の一実施形態を示す（ａ）は部分断面の正面図、（ｂ）はバフ表面の部分断面図である。
【図３】本発明の鋏の研磨装置の一実施形態を示す断面図である。
【図４】請求項４に係る発明の鋏の研磨装置の一実施形態を示す平面図である。
【図５】請求項４に係る発明の鋏の研磨装置の一実施形態を示す部分断面の正面図である。
【図６】請求項４に係る発明の鋏の研磨装置の一実施形態を示し、（ａ）は断面図、（ｂ）はバフ表面の部分断面図である。
【図７】請求項４に係る発明の鋏の研磨装置の一実施形態を示す部分断面の斜視図である。
【図８】請求項４に係る発明の鋏の研磨装置の一実施形態を示す部分断面の平面図である。
【発明を実施するための形態】
【００３３】
以下、本発明を図示する実施の形態に基づいて説明する。図１〜８は、本発明の鋏の研磨装置の一実施形態を示す平面図、正面図、断面図、斜視図である。
【実施例】
【００３４】
図１〜図３に示すように、横置き電動機２により研磨輪３を縦回転させる研磨装置（卓上グラインダー）１を用い、砥石による研磨輪に代えて弾力性を有するバフ４からなるバフ研磨輪３を取り付け、このバフ研磨輪３の外周に、バフ研磨輪３の回転方向に沿って長く形成されたガイド溝１１を有するカバー１０を設け、本発明の鋏の研磨装置を構成する。ガイド溝１１により鋏Ａの片側の刃身Ａ１あるいはＡ２を刃（刃線）ａが下になるようにカバー１０の外側からバフ研磨輪３のバフ外周面３ａ上に挿入して刃ａを押し当てるだけで、誰でも簡単に安全に良好な研磨を行えるようにしたものである。
【００３５】
横置き電動機２はその回転駆動軸２ａが水平配置となるように研磨装置１の本体１ａ内に収納され、下部の台座１ｂにより卓上に設置して使用することができる。本体１ａから水平に突出する回転駆動軸２ａにバフ研磨輪３がナット・座金により着脱可能に取り付けられ、鉛直方向に縦回転する。
【００３６】
バフ研磨輪３のバフ４は、例えば、皮、布、フェルト、あるいはその他の材料を所定幅で所定厚のディスク状に一体的に形成して構成されている。そのバフ外周面３ａに研磨材が塗布などにより定着されている。
【００３７】
カバー１０はバフ研磨輪３のバフ外周面３ａおよび両側面３ｂを所定の隙間をおいて覆うように設けられており、その上部にガイド溝１１が設けられる。図示例では、カバー１０の上部にカバー板１２が上方に向かって膨出する膨出部１０ａを設け、この膨出部１０ａの上面のカバー板１２の下面に、バフ外周面３ａに向かって垂下する左右一対のガイド溝板１３を設けることにより、ガイド溝１１を形成している。
【００３８】
なお、図示例では折曲加工などによりカバー板と一体の板材によりガイド溝を形成しているが、これに限らず、カバー１０の上面にカバーとは別体のガイド溝用の部材を設け、このガイド溝用の部材とカバー１０の上面にガイド溝１１を形成するなどしてもよい。
【００３９】
ガイド溝１１は、図２に示すように、バフ外周面３ａの法線に対して角度αで傾斜させ、ガイド溝１１に挿入した刃身Ａ１あるいはＡ２の刃ａの外側面がバフ外周面３ａの表面に押し付けられると共に、前記外側面が一定の角度で研磨されるようになる。
【００４０】
また、ガイド溝１１は、図１に示すように、バフ研磨輪３の回転方向に対して角度βで傾斜させ、できるだけバフ外周面３ａの幅方向を利用して押付け力を分散させ、刃ａがバフ外周面３ａに深く喰いこまないようにする。
【００４１】
また、研磨作業におけるバフ研磨輪３の回転方向に関しては、図３に示すように、バフ研磨輪３の回転により刃身Ａ１あるいはＡ２が研磨する人から遠ざかるようにして研磨作業を行い、鋏Ａが研磨する人に飛んできて当たらないようにする。また、鋏Ａは手前に引くようにして研磨を行う。
【００４２】
通常は、研磨する人が立つ側（図３の右側）から見て、角度αおよび角度βが右側に傾斜するように構成し（図１、図２の右側）、右利きの人が鋏Ａをセットしやすいようにする。
【００４３】
また、カバー１０は上下に２分割し、下部のカバー１０Ａに対して上部のカバー１０Ｂが昇降できるようにし、バフ外周面３ａが摩耗してバフ外周面３ａの外径が減少したとき、上部のカバー１０Ｂを下降させて、ガイド溝１１の下端とバフ外周面３ａとの間隔が一定になるようにする。上部のカバー１０Ｂの上下位置調整と固定は、例えば、下部のカバー１０Ａの上部と上部のカバー１０Ｂの下部とを重ね合わせ、鉛直方向に長孔とねじで固定する方式で行うことができる。
【００４４】
以上のような構成において、鋏Ａを分解することなく片側の刃身Ａ１あるいはＡ２を刃ａが下になるようにカバー１０の上方からガイド溝１１内に挿入し、バフ研磨輪３のバフ外周面３ａ上に刃ａを押し当て刃身Ａ１あるいはＡ２を手前に引くことにより刃ａを研磨する。刃ａの外側面が弾力性を有するバフ４に少し食い込み、刃ａの外側面が一定の角度で研磨される。一方の刃身Ａ１の研磨が終了したら、他方の刃身Ａ２を同様に研磨する。
【００４５】
ガイド溝１１に挿入して押し当てるだけで研磨を行うことができ、誰でも簡単に安全にシャープな切れ味を得ることができる。
【００４６】
ガイド溝１１を傾斜角αで傾斜させることにより、刃ａの外側面を一定の角度で研磨することができ、シャープな切れ味を得ることができる。
【００４７】
ガイド溝１１を角度βで傾斜させることにより、バフ外周面３ａの幅方向に押付け力を分散させ、刃ａがバフ外周面３ａに深く喰い込まないようにすることができ、良好な研磨状態を得ることができると共に、安全に研磨作業を行うことができる。
【００４８】
バフ４による研磨であるため、必要以上に刃ａが研磨されることがなく、理容・美容用の高価な鋏の寿命を長くすることができる。
【００４９】
さらに、ガイド溝１１を傾斜角αで傾斜させることにより、刃ａの外側面を一定の角度で研磨することができ、シャープな切れ味を得ることができる。
【００５０】
横置き電動機２によりバフ研磨輪３を縦回転させる卓上グラインダー１にガイド溝１１付きのカバー１０を設けるだけでよいため、比較的低コストの研磨装置により鋏の研磨を行える。
【００５１】
カバー１０を上下に２分割し、下部のカバー１０Ａに対して上部のカバー１０Ｂが昇降できるようにすることにより、バフ外周面３ａが摩耗してバフ外周面３ａの外径が減少したとき、上部のカバー１０Ａを下降させて、ガイド溝１１の下端とバフ外周面３ａとの間隔が一定になるようにすることができ、常に良好な研磨状態を得ることができる。
【００５２】
図４〜図６に示すように、横置き電動機２２により研磨輪２３を縦回転させる研磨装置（卓上グラインダー）２１を用い、砥石による研磨輪に代えて弾力性を有するバフ２４からなるバフ研磨輪２３を取り付け、このバフ研磨輪２３の外周に、バフ研磨輪２３の回転方向と垂直方向に沿って長く形成されたガイド溝３１を有するカバー３０を設け、本発明の鋏の研磨装置を構成する。
【００５３】
ガイド溝３１により鋏Ａの片側の刃身Ａ１あるいはＡ２を刃（刃線）ａが下になるようにカバー３０の外側からバフ研磨輪２３のバフ外周面２３ａ上に挿入して刃ａを押し当てるだけで、誰でも簡単に安全に良好な研磨を行えるようにしたものである。
【００５４】
横置き電動機２２はその回転駆動軸２２ａが水平配置となるようにカバー３０内に収納され、卓上に設置して使用することができるようになっている。横置き電動機２２から水平に突出する回転駆動軸２２ａにバフ研磨輪２３がナット・座金により着脱可能に取り付けられ、鉛直方向に縦回転する。
【００５５】
バフ研磨輪２３のバフ２４は、例えば、皮、布、フェルト、あるいはその他の材料を所定幅で所定厚のディスク状に一体的に形成して構成されている。そのバフ外周面２３ａに研磨材が塗布などにより定着されている。
【００５６】
カバー３０は、横置き電動機２２とバフ研磨輪２３に所定の隙間をおいて覆うように設けられており、その上部にガイド溝３１が設けられている。図示例では、カバー１０の上部３０Ｂに、バフ外周面２３ａに向かって垂下する左右一対のガイド溝板３３を設けることにより、ガイド溝３１を形成している。
【００５７】
なお、図示例では折曲加工などによりカバーと一体の板材によりガイド溝を形成しているが、これに限らず、カバー３０の上面にカバーとは別体のガイド溝用の部材を設け、このガイド溝用の部材とカバー３０の上面にガイド溝３１を形成するなどしてもよい。
【００５８】
ガイド溝３１は、図６に示すように、バフ外周面２３ａの法線に対して角度γで傾斜させ、ガイド溝３１に挿入した刃身Ａ１あるいはＡ２の刃ａの外側面がバフ外周面２３ａの表面に押し付けられると共に、前記外側面が一定の角度で研磨されるようになる。
【００５９】
また、カバー３０は上下に２分割し、下部のカバー３０Ａに対して上部のカバー３０Ｂが昇降できるようにし、バフ外周面２３ａが摩耗してバフ外周面２３ａの外径が減少したとき、上部のカバー３０Ｂを下降させて、ガイド溝３１の下端とバフ外周面２３ａとの間隔が一定になるようにする。上部のカバー３０Ｂの上下位置調整と固定は、例えば、下部のカバー３０Ａの上部と上部のカバー３０Ｂの下部とを重ね合わせ、鉛直方向に長孔とねじで固定する方式で行うことができる。
【００６０】
以上のような構成において、鋏Ａを分解することなく片側の刃身Ａ１あるいはＡ２を刃ａが下になるようにカバー３０の上方からガイド溝３１内に挿入し、バフ研磨輪２３のバフ外周面２３ａ上に刃ａを押し当て刃身Ａ１あるいはＡ２を水平方向に移動させることにより刃ａを研磨する。刃ａの外側面が弾力性を有するバフ２４に少し食い込み、刃ａの外側面が一定の角度で研磨される。一方の刃身Ａ１の研磨が終了したら、他方の刃身Ａ２を同様に研磨する。
【００６１】
ガイド溝３１に挿入して押し当てるだけで研磨を行うことができ、誰でも簡単に安全にシャープな切れ味を得ることができる。
【００６２】
ガイド溝３１を傾斜角γで傾斜させることにより、刃ａの外側面を一定の角度で研磨することができ、シャープな切れ味を得ることができる。
【００６３】
バフ２４による研磨であるため、必要以上に刃ａが研磨されることがなく、理容・美容用の高価な鋏の寿命を長くすることができる。
【００６４】
横置き電動機２２によりバフ研磨輪２３を縦回転させる卓上グラインダー２１にガイド溝３１付きのカバー３０を設けるだけでよいため、比較的低コストの研磨装置により鋏の研磨を行える。
【００６５】
また図７、図８には、横置き電動機２２とバフ研磨輪２３との間に複数のギア２２ｂを介し、電池２２ｃを設ける例を一部断面として示した。基本的な原理は、図４〜６と同じである。
【００６６】
上部のカバー３０Ｂに蟻ほぞ状のガイド部３２を設けており、バフ外周面２３ａが摩耗してバフ外周面２３ａの外径が減少したとき、ガイド溝３１の下端とバフ外周面２３ａとの間隔が一定になるように上部のカバー３０Ｂを下降させることにより、常に良好な研磨状態を得ることができる。
【００６７】
なお、本発明は以上のような図示例に限定されないことは言うまでもない。
【符号の説明】
【００６８】
Ａ…鋏
Ａ１、Ａ２…刃身
ａ…刃（刃線）
１…研磨装置（卓上グラインダー）
１ａ…本体
１ｂ…台座
２…横置き電動機
２ａ…回転駆動軸
３…バフ研磨輪
３ａ…外周面
３ｂ…側面
４…バフ（羽布）
１０…カバー
１０ａ…膨出部
１０Ａ…下部のカバー
１０Ｂ…上部のカバー
１１…ガイド溝
１２…カバー板
１３…ガイド溝板
２１…研磨装置（卓上グラインダー）
２２…横置き電動機
２２ａ…回転駆動軸
２２ｂ…ギア（歯車）
２２ｃ…電池
２３…バフ研磨輪
２３ａ…外周面
２３ｂ…側面
２４…バフ（羽布）
３０…カバー
３０Ａ…下部のカバー
３０Ｂ…上部のカバー
３１…ガイド溝
３２…蟻ほぞ状のガイド部
３３…ガイド溝板
【図１】
2010149272.tif 000003
【図２】
2010149272.tif 000004
【図３】
2010149272.tif 000005
【図４】
2010149272.tif 000006
【図５】
2010149272.tif 000007
【図６】
2010149272.tif 000008
【図７】
2010149272.tif 000009
【図８】
2010149272.tif 000010